(57)【特許請求の範囲】
【請求項１】
他の通信装置との通信が可能な第１のモードと、前記他の通信装置との通信が行えない第２のモードとを有する通信手段と、
前記通信手段を制御する制御手段とを有し、
前記制御手段は、前記第１のモードと第２のモードとを交互に切り替え、前記通信手段が前記第１のモードとなる期間を前記通信手段が前記第２のモードとなる期間よりも長くし、
前記制御手段はさらに、前記他の通信装置との通信を開始してから終了するまでの間、前記通信手段が前記第１のモードとなる期間を継続させることを特徴とする通信装置。
【請求項２】
他の通信装置との通信が可能な第１のモードと、前記他の通信装置との通信が行えない第２のモードとを有する通信手段と、
前記通信手段を制御する制御手段とを有し、
前記制御手段は、前記第１のモードと第２のモードとを交互に切り替え、前記通信手段が前記第１のモードとなる期間を前記通信手段が前記第２のモードとなる期間よりも長くし、
前記制御手段はさらに、前記通信手段が前記第１のモードとなる期間と前記他の通信装置が前記第１のモードとなる期間とが重なるように制御することを特徴とする通信装置。
【請求項３】
他の通信装置との通信が可能な第１のモードと、前記他の通信装置との通信が行えない第２のモードとを有する通信手段と、
前記通信手段を制御する制御手段とを有し、
前記制御手段は、前記第１のモードと第２のモードとを交互に切り替え、前記通信手段が前記第１のモードとなる期間を前記通信手段が前記第２のモードとなる期間よりも長くし、
前記制御手段はさらに、前記通信手段と前記他の通信装置の通信手段とが前記第１のモードである場合に通信を開始することを特徴とする通信装置。
【請求項４】
他の通信装置との通信が可能な第１のモードと、前記他の通信装置との通信が行えない第２のモードとを有する通信手段と、
前記通信手段を制御する制御手段とを有し、
前記制御手段は、前記第１のモードと第２のモードとを交互に切り替え、前記通信手段が前記第１のモードとなる期間を前記通信手段が前記第２のモードとなる期間よりも長くし、
前記制御手段はさらに、前記通信手段が前記第１のモードとなる期間の長さを通信終了後の経過時間に応じて可変的に制御することを特徴とする通信装置。
【請求項５】
前記制御手段はさらに、前記他の通信装置との通信を開始してから終了するまでの間、前記通信手段が前記第１のモードとなる期間を継続させることを特徴とする請求項２から４のいずれかに記載の通信装置。
【請求項６】
前記制御手段はさらに、前記通信手段が前記第１のモードとなる期間と前記他の通信装置が前記第１のモードとなる期間とが重なるように制御することを特徴とする請求項１、３、４のいずれかに記載の通信装置。
【請求項７】
前記制御手段はさらに、前記通信手段と前記他の通信装置の通信手段とが前記第１のモードである場合に通信を開始することを特徴とする請求項１、２、４のいずれかに記載の通信装置。
【請求項８】
前記制御手段はさらに、前記通信手段が前記第１のモードとなる期間の長さを通信終了後の経過時間に応じて可変的に制御することを特徴とする請求項１から３のいずれかに記載の通信装置。
【請求項９】
他の通信装置との通信が可能な第１のモードと、前記他の通信装置との通信が行えない第２のモードとを有する通信手段と、
前記通信手段を制御する制御手段とを有し、
前記制御手段は、前記通信手段が前記第１のモードとなる期間を前記通信手段が前記第２のモードとなる期間よりも長くし、前記通信手段が前記第１のモードとなる期間と前記他の通信装置が前記第１のモードとなる期間とが重なるように制御することを特徴とする通信装置。
【請求項１０】
前記制御手段はさらに、前記他の通信装置との通信を開始してから終了するまでの間、前記通信手段が前記第１のモードとなる期間を継続させることを特徴とする請求項９に記載の通信装置。
【請求項１１】
前記制御手段はさらに、前記通信手段と前記他の通信装置の通信手段とが前記第１のモードである場合に通信を開始することを特徴とする請求項９または１０に記載の通信装置。
【請求項１２】
前記制御手段はさらに、前記通信手段が前記第１のモードとなる期間の長さを通信終了後の経過時間に応じて可変的に制御することを特徴とする請求項９から１１のいずれかに記載の通信装置。
【請求項１３】
前記通信手段が前記第１のモードとなる期間は、前記通信手段が前記第２のモードとなる期間の２倍よりも長いことを特徴とする請求項１から１２のいずれかに記載の通信装置。
【請求項１４】
前記通信手段が前記第２のモードとなる期間に消費される電力は、前記通信手段が前記第１のモードとなる期間に消費される電力よりも少ないことを特徴とする請求項１から１３のいずれかに記載の通信装置。
【請求項１５】
前記通信手段は、ＩＥＥＥ１３９４規格に準拠したものであることを特徴とする請求項１から１４のいずれかに記載の通信装置。
【請求項１６】
前記通信装置は、バッテリを用いて動作することを特徴とする請求項１から１５のいずれかに記載の通信装置。
【請求項１７】
撮像素子を用いて撮像を行う撮像手段をさらに有することを特徴とする請求項１から１６のいずれかに記載の通信装置。
【請求項１８】
前記制御手段はさらに、前記通信手段が前記第２のモードであるときは、前記通信手段が前記第１のモードであるときに前記通信手段に供給される電力よりも少ない電力を前記通信手段に供給するように制御することを特徴とする請求項１から１７のいずれかに記載の通信装置。
【請求項１９】
前記第２のモードは、前記他の通信装置との通信は行えないが、前記他の通信装置から送信されたデータを中継することはできるモードであることを特徴とする請求項１から１８のいずれかに記載の通信装置。
【請求項２０】
前記通信手段は、前記第１のモードおよび前記第２のモードのいずれにおいても、前記他の通信装置との接続の変化を検出できることを特徴とする請求項１から１９のいずれかに記載の通信装置。
【発明の詳細な説明】
【０００１】
【発明の属する技術分野】
本発明は、通信装置に関する。
【０００２】
【従来の技術】
近年、ディジタル化された映像信号や音声信号を扱うＡＶ機器（例えば、ディジタルカメラ、ディジタルビデオカメラ）を、パーソナルコンピュータ（以下ＰＣ）やその周辺機器（例えば、プリンタ、ハードディスク、CD-ROMドライブ）と共通の通信用インタフェースを介して接続し、１つの通信システムを構成する技術が開発されている。
【０００３】
このような通信システムに用いられる通信用インタフェースの技術の一つとして、IEEE1394-1995高性能シリアルバス規格（以下、IEEE1394規格）がある。IEEE1394規格に準拠した通信用インタフェース（以下、1394インタフェース）は、従来に比べて高速なデータ転送の実現と、映像信号や音声信号のリアルタイムな転送をサポートするディジタルインタフェースである。この1394インタフェースを用いて構成された通信システムは、次のようないくつかの特長を備えている。
（１）Isochronous転送モードとAsynchronous転送モードの２つの転送モードを有する。Isochronous転送モードとは、各通信サイクル期間（125μs）毎に、一定量のデータの送受信を保証する転送方式で、映像信号や音声信号のリアルタイムな転送に有効である。又、Asynchronous転送モードとは、通信サイクルに対して非同期に送受信される転送方式で、制御コマンドやファイルデータ等を必要に応じて送受信する場合に有効である。尚、１通信サイクル期間内において、Asynchronous転送モードは、Isochronous転送モードに比べて優先順位が低い。
（２）自由度の高い接続構成。具体的には、デイジー・チェイン方式とノード分岐方式の混在が可能であり、自由度の高いネットワークを構築できる。
（３）ネットワークの接続構成を自動的に認識できる。つまり、機器の追加や削除、電源のON/OFF等による接続構成の変化に応じて、新たなネットワークの接続構成の認識と、各機器に対するＩＤの設定を自動的に行なう。
（４）各機器間におけるデータ伝送をシリアルに行なうため、通信ケーブルを細く、コネクタを小型にすることができる。又、給電用ペアケーブルを含くんだ通信ケーブルを用いて各機器間を接続することにより、電源がOFFとなっている機器の1394インタフェースに対して電力を供給し、駆動させることもできる。これにより、ある機器の電源をOFFにしても、その機器がネットワーク上の通信を切断することがない。
【０００４】
【発明が解決しようとする課題】
しかしながら、上述の特長を備えた通信システムを構成した場合、各機器は、各機器の具備する1394インタフェースに対して常に給電する必要があった。特に、他の機器と全く通信を行なわない状況であっても、上述の機能を実現するために、各機器の1394インタフェースに対して常に給電する必要があった。従って、この場合、各機器或いは通信システム全体は、無駄な電力を消費してしまう欠点があった。
【０００５】
又、バッテリ等の内部電源を主電源としているディジタルカメラやカメラ一体型ディジタルＶＴＲ等の携帯機器は、上述の通信システムに接続するだけでその機器のインタフェースに対して常に電力を供給する必要があり、バッテリの消耗を早めてしまう問題があった。
【０００６】
そこで、本発明は、無駄な電力の消費を抑えるようにすることを目的とする。
【０００７】
【課題を解決するための手段】
本発明に係る通信装置の一つは、例えば、他の通信装置との通信が可能な第１のモードと、前記他の通信装置との通信が行えない第２のモードとを有する通信手段と、前記通信手段を制御する制御手段とを有し、前記制御手段は、前記第１のモードと第２のモードとを交互に切り替え、前記通信手段が前記第１のモードとなる期間を前記通信手段が前記第２のモードとなる期間よりも長くし、前記制御手段はさらに、前記他の通信装置との通信を開始してから終了するまでの間、前記通信手段が前記第１のモードとなる期間を継続させることを特徴とする。
本発明に係る通信装置の一つは、例えば、他の通信装置との通信が可能な第１のモードと、前記他の通信装置との通信が行えない第２のモードとを有する通信手段と、前記通信手段を制御する制御手段とを有し、前記制御手段は、前記第１のモードと第２のモードとを交互に切り替え、前記通信手段が前記第１のモードとなる期間を前記通信手段が前記第２のモードとなる期間よりも長くし、前記制御手段はさらに、前記通信手段が前記第１のモードとなる期間と前記他の通信装置が前記第１のモードとなる期間とが重なるように制御することを特徴とする。
【０００８】
本発明に係る通信装置の一つは、例えば、他の通信装置との通信が可能な第１のモードと、前記他の通信装置との通信が行えない第２のモードとを有する通信手段と、前記通信手段を制御する制御手段とを有し、前記制御手段は、前記第１のモードと第２のモードとを交互に切り替え、前記通信手段が前記第１のモードとなる期間を前記通信手段が前記第２のモードとなる期間よりも長くし、前記制御手段はさらに、前記通信手段と前記他の通信装置の通信手段とが前記第１のモードである場合に通信を開始することを特徴とする。
本発明に係る通信装置の一つは、例えば、他の通信装置との通信が可能な第１のモードと、前記他の通信装置との通信が行えない第２のモードとを有する通信手段と、前記通信手段を制御する制御手段とを有し、前記制御手段は、前記第１のモードと第２のモードとを交互に切り替え、前記通信手段が前記第１のモードとなる期間を前記通信手段が前記第２のモードとなる期間よりも長くし、前記制御手段はさらに、前記通信手段が前記第１のモードとなる期間の長さを通信終了後の経過時間に応じて可変的に制御する。
【０００９】
本発明に係る通信装置の一つは、例えば、他の通信装置との通信が可能な第１のモードと、前記他の通信装置との通信が行えない第２のモードとを有する通信手段と、前記通信手段を制御する制御手段とを有し、前記制御手段は、前記通信手段が前記第１のモードとなる期間を前記通信手段が前記第２のモードとなる期間よりも長くし、前記通信手段が前記第１のモードとなる期間と前記他の通信装置が前記第１のモードとなる期間とが重なるように制御することを特徴とする。
【００１６】
【発明の実施の形態】
以下、本発明の実施例について図面を用いて詳細に説明する。
【００１７】
図１は、本実施例の通信システムの構成の一例を示す図である。ここで、本実施例の通信システムを構成する複数の通信機器は、IEEE1394規格に準拠した通信用インタフェースを具備している。
【００１８】
図１において、１０１は各機器から転送された画像データ、テキストデータ、グラフィックスデータ等を記録、表示、編集するパーソナルコンピュータ（以下、ＰＣ）、１０２は各機器から転送された画像データ、テキストデータ、グラフィックスデータ等を印刷するプリンタ、１０３は据置型ディジタルＶＴＲ、１０４はカメラ一体型ディジタルＶＴＲである。尚、本実施例の通信システムを構成する通信機器は、図１に示す機器に限らない。IEEE1394規格に準拠した通信を実行できる機能と構成を具備する装置であれば、ディジタルカメラ、スキャナ、ハードディスク、CD-ROMドライブ等のディジタル装置であってもよい。
【００１９】
又、図１において、各機器の通信用インタフェースは、1つ以上の通信ポート１０５を具備している。各通信ポート１０５は、IEEE1394規格に準拠した通信ケーブル１０６を介して接続されている。ここで、通信ケーブル１０６には、２種類の通信ケーブルが存在する。１つは、DS-Link方式により符号化されたデータを送受信する２対のツイストペアケーブルと給電用のペアケーブルとにより構成された６ピン端子ケーブルである。もう一つは、給電用のペアケーブルを含まない４ピン端子ケーブルである。２対のツイストペアケーブルの内の一対は、データの伝送に使用され、もう一方は、ストローブ信号の伝送に使用される。
【００２０】
本実施例において、ＰＣ１０１とプリンタ１０２、ＰＣ１０１と据置型ディジタルＶＴＲ１０３とを接続する通信ケーブル１０６は、給電用のペアケーブルを含む６ピン端子ケーブルである。又、据置型ディジタルＶＴＲ１０３とカメラ一体型ディジタルＶＴＲ１０４とを接続する通信ケーブル１０６は、給電用のペアケーブルを含まない４ピン端子ケーブルである。
【００２１】
次に、図２を用いて、図１の通信システムを構成する通信機器の基本構成と機能について説明する。
【００２２】
図２において、通信用インタフェース２０１は、物理レイヤ２０２、リンクレイヤ２０２、バス管理部２０３を備えている。
【００２３】
各機器の通信用インタフェース２０１は、100、200、400Mbpsのデータ転送速度に対応している。上位のデータ転送速度に対応する通信用インタフェース２０１は、下位のデータ転送速度をサポートするように構成される。
【００２４】
又、各機器の通信用インタフェース２０１は、ある機器から送信されたデータを受信すると共に、そのデータを他の機器にリピートする機能を有している。
【００２５】
更に、各機器の通信用インタフェース２０１は、通信システムを構成する機器の増減や各機器の電源のON/OFF等に応じてバスリセットと呼ばれる処理を実行する。バスリセットは、次ぎのような処理を実行する。
【００２６】
第１に、各機器の通信用インタフェース２０１は、通信システムの接続構成の変化を自動的に検出した後、それまで認識されていた接続構成をリセットする。第２に、各機器の通信用インタフェース２０１は、接続機器との親子関係を決定し、新たな接続構成を階層的な接続関係として認識する。第３に、各機器の通信用インタフェース２０１は、通信システムの末端となる機器から自動的にＩＤを設定し、自己の設定情報（例えば、他の機器との接続関係、対応可能なデータ転送速度、供給或いは消費される電力に関する情報）を通信システム上の機器に送信する。以上の処理は、各通信用インタフェース２０１の具備する物理レイヤ２０２により実行される。
【００２７】
各機器の物理レイヤ２０２は、通信ポート１０５にかかるバイアス電圧の変化を常に監視し、その電圧の変化により接続構成の変化を検知する。バイアス電圧の変化を検知した機器は、他の機器の通信用インタフェース２０１に対してバスリセットを要求する信号を転送する。上述のバスリセットは、最終的に全ての機器がバスリセットを要求する信号を受信した後に起動する。尚、上述のバスリセットは、接続構成の変化による起動の他に、ホスト側が物理レイヤ２０２に対して直接要求を出して起動させることもできる。
【００２８】
物理レイヤ２０２は、この他に、送受信データのDS-Link方式によるエンコードとデコード、バス使用権の調停等に関する機能を有する。
【００２９】
リンクレイヤ２０３は、Asynchronous転送モードとIsochronous転送モードの制御、Asynchronous転送モーとIsochronous転送モードに準拠した通信パケットの生成と検出、各通信パケットに付加される誤り検出符号の生成と検出、通信サイクルを制御するサイクル・スタート・パケットの生成等の機能を有する。又、バス管理部２０４は、物理レイヤ２０２、リンクレイヤ２０３の動作の制御、Isochronous転送モードにおける帯域とチャネル番号の管理、アプリケーションとリンクレイヤ２０３との通信の管理を行なうと共に、通信システムの接続構成や各機器のデータ転送速度、電源に関する情報の管理を行なう。
【００３０】
データ処理部２０５は、記憶媒体やメモリを含み、各機器において扱うデータ（例えば、画像データ、音声データ、テキストデータ、グラフィックスデータ）に対して、圧縮符号化、伸長復号化、印刷出力、表示出力、記録、再生、編集、合成に必要な信号処理を行なう。操作部２０６は、各機器の処理動作を指示する制御コマンドを入力できる。電源部２０７は、通信用インタフェース２０１を含む各処理部を動作させる際に必要な電力を供給する。
【００３１】
制御部２０８は、各機器の具備する通信用インタフェース２０１、データ処理部２０５、電源部２０７等の動作を制御する。制御部２０８は、各種の通信用プロトコル（例えば、ＡＶプロトコル）に基づいて、データ処理部２０５と通信用インタフェース２０１との間で授受される画像データや音声データを制御する。又、制御部２０８は、操作部２０６において入力された制御コマンドを検出し、その制御コマンドに対応した処理を実行すべく通信装置を制御する。更に、制御部２０８は、電源部２０７を制御し、通信用インタフェース２０１に供給される電力を調整する。尚、制御部２０８は、プログラムコードの記憶可能なメモリと、そのプログラムコードに応じて各機器の動作を制御するマイクロコンピュータとを具備している。
【００３２】
本実施例において、各機器の通信用インタフェース２０１は、アクティブモードとスリープモードとを有している。本実施例の通信用インタフェース２０１は、他の機器と接続されていない場合、常にスリープモードになるように設定されている。そして、通信用インタフェース２０１は、他の機器との接続後、スリープモードからアクティブモードに切り替わり、所定の期間後、再びスリープモードになるように設定されている。ここで、他の機器との接続の有無は、通信ポート１０５にかかるバイアス電圧の変化に応じて検出される。又、各モードは、電源部２０７から通信用インタフェース２０１に供給される電力に基づいて所定の期間毎に交互に切り替わる。尚、各モードの切り替えは、制御部２０８により制御される。
【００３３】
アクティブモードとは、通信用インタフェース２０１に対して十分な電力が供給され、他の通信装置といつでも通信を実行できる状態のことである。アクティブモードである場合、通信用インタフェース２０１の物理レイヤ２０２は、通信ケーブル１０６にバイアス電圧を供給すると共に、通信ポート１０５にかかるバイアス電圧を検出できる。これにより、通信用インタフェース２０１は、システムの接続構成の変化を自動的に検出し、上述のバスリセットを実行することができる。
【００３４】
スリープモードとは、通信用インタフェース２０１の一部に対してのみ電力が供給され、他の通信装置とは通信できない状態のことである。本実施例では、スリープモードである場合でも、通信用インタフェース２０１の物理レイヤ２０２には駆動可能な電力が供給される。本実施例において、アクティブモードとスリープモードとが切り替わっても、物理レイヤ２０２の出力するバイアス電圧は変化しない。つまり、物理レイヤ２０２は、通信ケーブル１０６にバイアス電圧を供給すると共に、通信ポート１０５にかかるバイアス電圧を検出することができる。これにより、通信用インタフェース２０１は、スリープモードであってもシステムの接続構成の変化を自動的に検出し、上述のバスリセットを実行することができる。尚、スリープモードにおいて消費される電力は、アクティブモードにおいて消費される電力よりも少ない。又、スリープモードとなる通信用インタフェース２０１は、他の機器との通信を行なうことはできないが、他の機器から送信されたデータを中継することはできる。
【００３５】
例えば、図１に示す通信システムにおいて、ＰＣ１０１とカメラ一体型ディジタルＶＴＲ１０４の具備する通信用インタフェース２０１がアクティブモードで、プリンタ１０２と据置型ディジタルＶＴＲ１０３の具備する通信用インタフェース２０１がスリープモードである場合でも、通信システムは、プリンタ１０２と据置型ディジタルＶＴＲ１０３の接続を認識することができる。これにより、通信システム上のある機器がスリープモードに切り替わっても、通信システムの接続構成に変化は生じない。
【００３６】
又、据置型ディジタルＶＴＲ１０３の通信用インタフェース２０１がスリープモードである場合でも、据置型ディジタルＶＴＲ１０３は、カメラ一体型ディジタルＶＴＲ１０４からＰＣ１０１に送信される画像データを中継することができる。これにより、通信システム上のある機器がスリープモードになっても、通信システムの伝送経路が途中で分断されることはない。
【００３７】
図３は、本実施例のアクティブモードとスリープモードの変化を示すタイミングチャートである。図３において、３０１は、ＰＣ１０１におけるタイミングチャートの一例である。３０２は、プリンタ１０２におけるタイミングチャートの一例である。３０３は、据置型ディジタルＶＴＲ１０３におけるタイミングチャートの一例である。３０４は、カメラ一体型ディジタルＶＴＲ１０４におけるタイミングチャートの一例である。本実施例において、アクティブモードの期間は、各機器において同じであり、スリープモードの期間も各機器において同じである。又、アクティブモードとスリープモードの期間は、各周期において同じ期間となる。
【００３８】
図３において、各モードは、所定の期間毎に交互に切り替わる。ここで、アクティブモードとなる期間は、スリープモードとなる期間よりも長く、少なくともスリープモードとなる期間の２倍を越える期間になるように設定されている。これにより、本実施例の通信システムでは、ある機器の通信用インタフェース２０１がアクティブモードとなる期間において、全ての機器の通信用インタフェース２０１がアクティブモードとなる可能性が極めて高くなる（即ち、図３の３０５）。
【００３９】
各機器の通信用インタフェース２０１は、他の機器との通信を実行したい場合、アクティブモードとなる期間に通信相手の状態を問い合わせる。問合せの結果、その機器の通信用インタフェース２０１がアクティブモードであれば通信を開始する。又、各機器の通信用インタフェース２０１は、アクティブモードとなる期間に、他の機器から自分宛てに送信されたデータを受信することもできる。通信開始後、各機器の通信用インタフェース２０１は、その通信が終了する、或いは途中で中止されるまでアクティブモードとする。通信の終了後、各機器は再び２つのモードを繰り返し切り替え、各機器の省電力化を行なう。
【００４０】
例えば、Isochronous転送モードに準拠した通信のように、通信システム上の全ての機器に同時にデータを転送したい場合、その通信は、全ての機器がアクティブモードとなる期間（即ち、図３に示す期間３０５）に開始される。又、Asynchronous転送モードに準拠した通信のように、特定の機器に対してデータを転送したい場合、その通信は、特定の機器がアクティブモードとなる期間に開始される。通信の開始後、各機器の通信用インタフェース２０１は、その通信が終了するまでの期間、アクティブモードを継続する。
【００４１】
このように、本実施例の通信用インタフェース２０１は、外部の機器と接続されている場合に、アクティブモードとスリープモードとを所定の期間毎に交互に切り替えることによって、効率的な省電力化と通信路の確保とを両立させることができる。
【００４２】
又、本実施例の通信用インタフェース２０１は、アクティブモードの期間を、少なくともスリープモードの期間の２倍を越える期間に設定している。これにより、送信側の機器がアクティブモードとなる期間に、受信側の１つ或いは複数の機器もアクティブモードとなる可能性が極めて高くなる。従って、本実施例の通信システムは、効率的な省電力化と、複数の機器との通信路の確保を両立させることができる。
【００４３】
図４は、本実施例の通信システムを構成する通信装置の一例として、カメラ一体型ディジタルＶＴＲ１０４について説明する。本実施例のカメラ一体型ディジタルＶＴＲ１０４は、バッテリ等の内部電源により駆動する。又、本実施例のカメラ一体型ディジタルＶＴＲ１０４は、給電ケーブルを具備しない通信ケーブルを介して、図１に示す通信システムに接続されている。そのため、その通信システムから電力の供給を受けることができない。
【００４４】
図４において、撮像部４０１は、複数の光学レンズ、ＣＣＤ等の撮像素子を具備し、これらを用いて撮像された被写体の光学像から電気信号を生成する。マイクロフォン４０２は、外部の音声を集音し、音声信号を生成する。信号処理部４０３は、撮像部４０１にて生成された電気信号をディジタル化し、その信号を標準テレビジョン方式（ＮＴＳＣ方式、ＰＡＬ方式等）の画像信号に変換する。又、信号処理部４０３は、マイクロフォン４０２にて生成された音声信号をディジタル化し、所定のフォーマットの音声信号に変換する。
【００４５】
図４において、圧縮／伸長処理部４０４は、信号処理部４０３にて生成されたディジタル画像信号及びディジタル音声信号に対して所定の高能率圧縮符号化（例えば、離散コサイン変換後に量子化し、可変長符号化する方式）を施す。又、圧縮／伸長処理部４０４は、圧縮符号化されたディジタル信号を伸長復号化する。記録再生処理部４０５は、圧縮／伸長処理部４０４にて圧縮符号化された画像、音声信号を所定のフォーマットの記録用信号に変換する。記録用信号は、ヘッドアンプ４０６、磁気ヘッド４０７を介して磁気テープ等の記録媒体４０８に記録される。又、記録再生処理部４０５は、記録媒体４０８に記録されたディジタル信号を、ヘッドアンプ４０６、磁気ヘッド４０７を介して再生する。モニタ４０９は、信号処理部４０３にて生成された、或いは記録再生処理部２０４にて再生された画像信号及び音声信号を表示する。
【００４６】
図４において、通信用インタフェース２０１は、圧縮／伸長処理部４０４、記録再生処理部４０５より供給される画像信号及び音声信号を、所定の通信プロトコル（例えば、ＡＶプロトコル等）を用いてIsochronous転送モードに基づくパケット形式にパケット化する。又、通信用インタフェース２０１は、制御部２０８から供給される制御コマンドを所定の通信プロトコル（例えば、ＡＶプロトコル等）を用いてAsynchronous転送モードに基づくパケット形式にパケッタイズする。操作部２０６は、操作パネル、指示スイッチ、指示ボタン等を含み、カメラ一体型ディジタルＶＴＲ１０４の各種動作（例えば、撮影、記録、再生、外部通信、ダビング等の開始、終了、一時停止）を指示する制御コマンドを入力することができる。制御部２０８は、カメラ一体型ディジタルＶＴＲ１０４の含む各処理部の動作を制御する。特に、電源部２０７から通信用インタフェース２０１に供給される電力を制御し、アクティブモードとスリープモードの切り換えを制御する。
【００４７】
以下、図４を用いて、本実施例のカメラ一体型ディジタルＶＴＲ１０４の処理動作について説明する。ここで、本実施例のカメラ一体型ディジタルＶＴＲ１０４は、記録モードと再生モードの２つの処理モードを有する。
【００４８】
本実施例において、記録モードとは、撮像部４０１にて撮像された画像信号やマイクロフォン４０２にて集音された音声信号を磁気テープ４０８に記録する処理を行なうモードである。
【００４９】
図４において、撮像部４０１にて撮像された画像信号と、マイクロフォン４０２にて集音された音声信号は、信号処理部４０３に入力される。信号処理部４０３は、入力された画像信号と音声信号とをディジタル化し、それらの信号を所定フォーマットの信号に変換し、圧縮／伸長処理部４０４に供給する。圧縮／伸長処理部４０４は、信号処理部４０３から入力された信号に対して離散コサイン変換等を用いた圧縮符号化処理を施し、記録再生処理部４０５に供給する。記録再生処理部４０５は、圧縮符号化された画像信号、音声信号を記録用信号に変換し、ヘッドアンプ４０６、磁気ヘッド４０７を介して磁気テープ４０８に記録する。
【００５０】
又、記録モードでは、カメラ一体型ディジタルＶＴＲ１０４が外部機器と接続されている場合、通信用インタフェース２０１を介して入力された情報信号を磁気テープ４０８に記録することも可能である。例えば、カメラ一体型ディジタルＶＴＲ１０４は、据置型ディジタルＶＴＲ１０３からIsochronous転送モードを用いて転送された画像信号を受信し、磁気テープ４０８に記録することができる。
【００５１】
本実施例において、再生モードとは、磁気テープ４０８に記録された画像、音声信号を再生し、それらの信号をモニタ４０９を用いて視聴覚的に表示する処理を行なうモードである。
【００５２】
図４において、磁気テープ４０８に記録された記録用信号は、磁気ヘッド４０７によって読み出され、ヘッドアンプ４０６を介して記録再生処理部４０５に入力される。記録再生処理部４０５では、磁気テープ４０８より読み出された記録用信号を元の圧縮符号化された画像信号や音声信号に変換し、圧縮／伸長処理部４０４に供給する。圧縮／伸長処理部４０４は、記録再生処理部４０５から供給された画像信号や音声信号に対して伸長復号化処理を施し、モニタ４０９に供給する。モニタ４０９は、入力された画像信号と音声信号とを標準テレビジョン方式に基づく信号に変換した後、表示画面或いはスピーカに出力する。
【００５３】
又、再生モードでは、カメラ一体型ディジタルＶＴＲ１０４が外部機器と接続されている場合、磁気テープ４０８から再生された画像、音声信号を通信用インタフェース２０１を介して外部に出力することも可能である。
【００５４】
図４において、記録再生処理部４０５は、所定の通信プロトコル（例えば、ＡＶプロトコル）に基づいて、磁気テープ４０８から再生された画像信号を所定量のデータ毎に順次、通信用インタフェース２０１に供給する。通信用インタフェース２０１は、記録再生処理部４０５から供給される所定量の画像信号をIsochronous転送モードに基づくパケット形式にパケッタイズする。生成された各パケットは、通信ケーブル１０６を介して所定の通信サイクル毎に出力される。
【００５５】
記録モードと再生モードの切り替えは、操作部２０６により設定され、制御部２０８により制御される。又、各処理モードは、外部機器より伝送された制御信号により切り替えることも可能である。この場合、その制御信号は、Asynchronous転送モードにより転送される。
【００５６】
図５は、カメラ一体型ディジタルＶＴＲ１０４の具備する通信用インタフェース２０１の処理動作を示すフローチャートである。図５では、据置型ディジタルＶＴＲ１０３とカメラ一体型ディジタルＶＴＲ１０４とが通信する場合について説明する。
【００５７】
又、図６は、据置型ディジタルＶＴＲ１０３とカメラ一体型ディジタルＶＴＲ１０４の具備する通信用インタフェース２０１におけるアクティブモードとスリープモードの変化を示すタイミングチャートを示す。図６において、６０１は、据置型ディジタルＶＴＲ１０３におけるタイミングチャートであり、６０２は、カメラ一体型ディジタルＶＴＲ１０４におけるタイミングチャートである。
【００５８】
以下、図５、６を用いて、カメラ一体型ディジタルＶＴＲ１０４の具備する通信用インタフェース２０１の処理動作について説明する。
【００５９】
図５において、制御部２０８は、通信用インタフェース２０１にかかるバイアス電圧をチェックし、外部機器との接続を検出する（ステップＳ５０１）。外部機器と接続が検出されなかった場合、制御部２０８は、電源部２０７から通信用インタフェース２０１に供給される電力を制御し、通信用インタフェース２０１をスリープモードとする（ステップＳ５０２）。例えば、図６において、カメラ一体型ディジタルＶＴＲ１０４が、６０３に示すタイミングにおいて、据置型ディジタルＶＴＲ１０３と接続される場合、期間６０４はスリープモードとなる。
【００６０】
ステップＳ５０１において、外部機器との接続を検出した場合、制御部２０８は、電源部２０７から通信用インタフェース２０１に供給される電力を制御し、通信用インタフェース２０１をアクティブモードに切り替える（ステップＳ５０３）。
【００６１】
アクティブモードとなる期間において、制御部２０８は、外部機器との通信が必要であるか否かを検出する（ステップＳ５０４）。通信の必要がある場合、制御部２０８は、通信相手の通信用インタフェース２０１がアクティブモードであるか否かを検出する。カメラ一体型ディジタルＶＴＲ１０４と、１つ又は複数の通信相手がアクティブモードになった場合に通信を開始する（ステップＳ５０５）。
【００６２】
例えば、図６において、カメラ一体型ディジタルＶＴＲ１０４が、６０５に示すタイミングにおいて通信の開始を要求した場合、据置型ディジタルＶＴＲ１０３はスリープモードである。この場合、カメラ一体型ディジタルＶＴＲ１０４は、据置型ディジタルＶＴＲ１０３のスリープモードがアクティブモードに切り替わるまで通信を待機した後、通信を開始する。通信の開始後、各機器とも、その通信が終了するまでアクティブモードを継続し、終了後、スリープモードに切り替わる。尚、通信終了後、アクティブモードとなる所定の期間が経過していなければ、その期間が経過するまでアクティブモードを継続する。
【００６３】
又、ステップＳ５０４において、外部機器との通信を行なう必要がない場合、予め定められた期間、アクティブモードを継続する。一定の期間の経過後、制御部２０８は、通信用インタフェース２０１をスリープモードに切り換える（ステップＳ５０６）。
【００６４】
スリープモードに切り替わった後、制御部２０８は、予め定められた期間、スリープモードを継続する（ステップＳ５０８）。一定の期間の経過後、制御部２０８は、通信用インタフェース２０１を再びアクティブモードに切り換える（ステップＳ５０９）。
【００６５】
制御部２０８は、通信用インタフェース２０１にかかるバイアス電圧をチェックし、外部機器との接続が切り離されたか否かを検出する（ステップＳ５１０）。外部機器との接続が切り離されていない場合、制御部２０８は、再びステップＳ５０４以下の処理を実行する。又、外部機器との接続が切り離された場合、制御部２０８は、通信用インタフェース２０１をスリープモードとして再び、外部機器との接続を監視する。
【００６６】
このように、本実施例の通信装置では、通常の通信を行なうアクティブモードと、通信用インタフェースの一部の処理回路に対する給電を停止したスリープモードとを所定の期間毎に交互に切り替えることによって、効率的な省電力化と通信路の確保とを両立させることができる。特に、カメラ一体型ディジタルＶＴＲ１０４のようなバッテリ駆動の携帯機器において高い効果が得られる。又、通信ケーブル１０６を介して通信システムからの給電を受けることのできない通信装置に対しても高い効果が得られる。
【００６７】
又、本実施例の通信システムでは、１周期におけるアクティブモードの期間を、少なくともスリープモードの期間の２倍を越える期間に設定している。これにより、送信側の機器がアクティブモードとなる期間に、受信側の１つ或いは複数の機器もアクティブモードとなる可能性が極めて高くなる。これにより、効率的な省電力化と、複数の機器との通信路の確保を両立させることができる。
【００６８】
本実施例において、アクティブモードとなる期間と、スリープモードとなる期間とは、各周期において、同じ期間になるように繰り返し切り替えるように構成したが、それに限るものではない。例えば、通信を行なった機器は、その通信の終了後、再び通信を開始する確率が高い。そこで、図７に示すタイミングチャートのように、通信終了後の経過時間に応じて、アクティブモードとなる期間を短く、スリープモードとなる期間を長くするように構成することもできる。これにより、再び通信を開始する際の待ち時間を短縮できると共に、更に効果的に複数の機器との通信路の確保を実現できる。
【００６９】
更に、本実施例において、各通信装置の具備する通信用インタフェースとしてIEEE1394規格に準拠したディジタルインタフェースを用いたが、それに限るものではない。例えば、電子機器の追加、削除等によるネットワーク構成の変化を自動的に検出し、接続構成の認識と通信用ＩＤの設定を自動的に行なう機能を具備するものであればいかなる通信用インタフェースを用いてもよい。
【００７０】
尚、本発明はその精神、又はその主要な特徴から逸脱することなく、様々な形で実施することができる。
【００７１】
例えば、前述した実施例の機能を実現するソフトウェアのプログラムコードを記録した記憶媒体を、本実施例のシステム或いは装置の具備する制御部（マイクロコンピュータを含む）に供給するように構成することもできる。そして、本実施例のシステム或いは装置の具備する制御部が、該記録媒体に格納されたプログラムコードを読み出し、前述した実施例の機能を実現するようにシステム或いは装置の動作を制御するように構成しても本発明の実施例を達成することができる。
【００７２】
例えば、図５に示す処理及び機能を実現するプログラムコードを、図２に示す制御部２０８の具備するメモリに格納させる。そして、制御部２０８自体がそのプログラムコードを読み出し、上述の実施例の機能を実現するように図２に示す通信装置の動作を制御するように構成してもよい。
【００７３】
この場合、記憶媒体から読み出されたプログラムコード自体が前述した実施例の機能を実現することになり、そのプログラムコードを記憶した記録媒体は、本発明の一部の構成要件になる。
【００７４】
プログラムコードを供給するための記録媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７５】
又、制御部上で稼動しているＯＳ（オペレーティングシステム）或いはアプリケーションソフト等が、記録媒体より読み出したプログラムコードの指示に基づき、本実施例のシステム或いは装置の動作を制御することにより、前述した実施例の機能を実現する場合も本発明に含まれることは言うまでもない。
【００７６】
更に、記憶媒体から読み出されたプログラムコードが、制御部に接続された機能拡張ボード或いは機能拡張ユニットの具備するメモリに書き込まれた後、そのプログラムコードの指示に基づき、その機能拡張ボードや機能拡張ユニットの具備する制御部が本実施例のシステム或いは装置の動作を制御することにより、前述した実施例の機能が実現される場合も本発明に含まれることは言うまでもない。
【００７７】
したがって前述の実施例はあらゆる点おいて単なる例示に過ぎず、限定的に解釈してはならない。
【００７８】
【発明の効果】
本発明によれば、無駄な電力の消費を抑えることができる。
【図面の簡単な説明】
【図１】  IEEE1394インタフェース及びそのインタフェースを用いて構成される通信システムの基本構成を示す図。
【図２】図１の通信システムを構成する通信機器の基本構成を示すブロック図。
【図３】本実施例のアクティブモードとスリープモードの変化を示すタイミングチャート。
【図４】本実施例のカメラ一体型ディジタルＶＴＲ１０４の構成を示すブロック図。
【図５】カメラ一体型ディジタルＶＴＲ１０４の具備する通信用インタフェース２０１の処理動作を示すフローチャート。
【図６】据置型ディジタルＶＴＲ１０３とカメラ一体型ディジタルＶＴＲ１０４の具備する通信用インタフェース２０１におけるアクティブモードとスリープモードの変化を示すタイミングチャート。
【図７】通信用インタフェース２０１におけるアクティブモードとスリープモードの変化の一例を示すタイミングチャート。
【図１】
0003862400.tif 000002
【図２】
0003862400.tif 000003
【図３】
0003862400.tif 000004
【図４】
0003862400.tif 000005
【図５】
0003862400.tif 000006
【図６】
0003862400.tif 000007
【図７】
0003862400.tif 000008